(57)【特許請求の範囲】
【請求項１】
複数の照明器具と前記複数の照明器具を制御する端末装置とを備える照明システムであって、
前記端末装置は、
画面と、
操作者からの指示を受け付ける入力部と、
前記複数の照明器具に対して照明制御をさせるための制御命令を送信する通信部と、
前記複数の照明器具のそれぞれの設置場所に関する少なくとも一つの属性を示す属性情報を含む設定情報を前記端末装置の外部から取得し、前記画面及び前記入力部を用いた前記操作者との対話に従って、前記複数の照明器具のそれぞれに、取得した前記設定情報に含まれる前記属性情報が示す少なくとも一つの属性のいずれかを対応づけることで、前記複数の照明器具をグループ分けし、得られたグループの単位で前記通信部を介して前記制御命令を送信することで前記複数の照明器具を前記グループの単位で制御する制御部とを備え、
前記設定情報は、前記複数の照明器具がそれぞれの設置場所に設置される設置工事が行われる前に、複数の設置工事のそれぞれごとに作成されてサーバ装置にアップロードされる複数の設定情報を含み、
前記制御部は、前記複数の照明器具がそれぞれの設置場所に設置される設置工事が行われた後に、前記入力部が受け付けた指示に基づいて、完了した設置工事に対応する設定情報を、前記サーバ装置に保持された前記複数の設定情報の中から選択してダウンロードする
照明システム。
【請求項２】
前記設定情報には、さらに、前記属性情報が示す少なくとも一つの属性のそれぞれについて、当該属性をもつ照明器具の台数を示す台数情報が含まれ、
前記制御部は、前記設定情報に含まれる前記台数情報を参照することで、前記複数の照明器具のグループ分けを行う
請求項１記載の照明システム。
【請求項３】
前記設定情報には、さらに、前記属性情報が示す少なくとも一つの属性のそれぞれについて、照明器具による調光及び調色の少なくとも一つの制御を対応づけた挙動情報が含まれ、
前記制御部は、前記挙動情報を参照することで、前記グループに属する照明器具の属性に対応づけられた前記調光及び調色の少なくとも一つの制御を特定し、特定した制御を行う
請求項１又は２記載の照明システム。
【請求項４】
前記挙動情報には、前記属性情報が示す少なくとも一つの属性のそれぞれについて、照明器具による調光及び調色の少なくとも一つについて、一日の時間に依存した動的制御を対応づけた動的挙動情報が含まれ、
前記制御部は、前記動的挙動情報を参照することで、前記グループに属する照明器具の属性に対応づけられた前記調光及び調色の少なくとも一つの動的制御を特定し、特定した動的制御を行う
請求項３記載の照明システム。
【請求項５】
前記設定情報には、前記少なくとも一つの属性のそれぞれと前記挙動情報とを対応づけた照明プランが複数含まれ、
前記制御部は、前記複数の照明プランのうち、前記画面及び前記入力部を用いた前記操作者との対話によって選択された照明プランに従って、前記複数の照明器具を前記グループの単位で制御する
請求項３又は４記載の照明システム。
【請求項６】
前記制御部は、さらに、前記画面に、前記複数の照明器具に対応する複数のアイコンを前記グループに分けて表示し、一の前記グループに属するアイコンを他の一の前記グループに移動させる指示が前記入力部によって受け付けられた場合に、当該指示に従って、前記複数の照明器具のグループ分けを変更する
請求項１〜５のいずれか１項に記載の照明システム。
【請求項７】
複数の照明器具を制御する端末装置であって、
前記端末装置は、
画面と、
操作者からの指示を受け付ける入力部と、
前記複数の照明器具に対して照明制御をさせるための制御命令を送信する通信部と、
前記複数の照明器具のそれぞれの設置場所に関する少なくとも一つの属性を示す属性情報を含む設定情報を前記端末装置の外部から取得し、前記画面及び前記入力部を用いた前記操作者との対話に従って、前記複数の照明器具のそれぞれに、取得した前記設定情報に含まれる前記属性情報が示す少なくとも一つの属性のいずれかを対応づけることで、前記複数の照明器具をグループ分けし、得られたグループの単位で前記通信部を介して前記制御命令を送信することで前記複数の照明器具を前記グループの単位で制御する制御部とを備え、
前記設定情報は、前記複数の照明器具がそれぞれの設置場所に設置される設置工事が行われる前に、複数の設置工事のそれぞれごとに作成されてサーバ装置にアップロードされる複数の設定情報を含み、
前記制御部は、前記複数の照明器具がそれぞれの設置場所に設置される設置工事が行われた後に、前記入力部が受け付けた指示に基づいて、完了した設置工事に対応する設定情報を、前記サーバ装置に保持された前記複数の設定情報の中から選択してダウンロードする
端末装置。
【請求項８】
複数の照明器具を備える照明システムの設定方法であって、
前記複数の照明器具がそれぞれの設置場所に設置される設置工事が行われる前に、前記照明システムを設計する照明設計者が、前記複数の照明器具のそれぞれの設置場所に関する少なくとも一つの属性を示す属性情報を含む設定情報を作成し、作成した前記設定情報をサーバ装置にアップロードするステップと、
前記複数の照明器具がそれぞれの設置場所に設置される設置工事が行われた後に、前記照明システムを設置する照明設定者が、前記サーバ装置にアップロードされた前記設定情報を端末装置にダウンロードして取得し、前記端末装置が備える画面及び入力部を用いた前記照明設定者との対話に従って、前記複数の照明器具のそれぞれに、取得した前記設定情報に含まれる前記属性情報が示す少なくとも一つの属性のいずれかを対応づけることで、前記複数の照明器具をグループ分けするステップとを含み、
前記アップロードするステップでは、複数の設置工事のそれぞれごとに前記設定情報を作成して前記サーバ装置にアップロードし、
前記グループ分けするステップでは、前記設置工事が行われた後に、前記入力部が受け付けた指示に基づいて、完了した設置工事に対応する設定情報を、前記サーバ装置に保持された複数の前記設定情報の中から選択してダウンロードする
照明システムの設定方法。
【発明の詳細な説明】
【技術分野】
【０００１】
本発明は、照明システム、端末装置及び照明システムの設定方法に関し、特に、複数の照明器具と複数の照明器具を制御する端末装置とを備える照明システムに関する。
【背景技術】
【０００２】
近年、店舗では差別化の一要素として照明による演出が多様化している。また、オフィスや病院等でもサーカディアンリズムに則った照明制御により、従業員の心身の健康を維持したいという要望が増加しつつある。 
【０００３】
現在、調光調色及びスケジュールの設定機能をもつ照明システムは、照明の商品知識及び設定技術に長けた専門家（例えば、照明設計者）が設定しなければならない照明システム及びユーザインタフェースとなっている。しかし、照明システムごとに購入者の要求に沿って専門家が対応するには限りがある。なお、照明システムの設定とは、操作用の端末装置に、現実に設置された個々の照明器具の識別子（通信アドレス）を登録して制御可能な状態にすること（器具マッピング）が含まれる。さらに、照明システムの設定には、照明器具をグループ分けし、グループの単位で照明制御する調光及び調色についてシーン及びスケジュールを決定することも含まれる。シーンとは、調光及び調色の少なくとも一つについての具体的な値で決定される照明状態である。スケジュールとは、シーンについてのスケジュールであり、例えば、一日の時間に依存したシーンの変化を規定した情報である。
【０００４】
そこで、照明の専門家が必ず関与しなければならない難易度が高い照明制御ではなく、中規模の施設について、照明の専門家でなくても照明システムの設定をすることが可能であるような照明システム及びユーザインタフェースが望まれている。
【０００５】
従来、照明システムの設定を容易にするために、様々な技術が提案されている（例えば、特許文献１参照）。
【０００６】
特許文献１の技術によれば、複数の照明器具をタブレット端末で制御するリモート調光制御可能な照明システムにおいて、複数の照明器具に対して、各機能等を考慮して１以上のグループ分けを行っている。そして、配設された複数の照明器具に対して調光を行うためのコントローラ部としてのタブレット端末によれば、グループの調光及び調色状態を表示画面で把握できるようになっている。このような複数の照明器具のグループ分け表示によって、照明システムの設定を容易にしている。なお、照明器具のグループとは、同じ照明制御を行う対象となる照明器具の集まりである。
【先行技術文献】
【特許文献】
【０００７】
【特許文献１】特開２０１５−１８６３６号公報
【発明の概要】
【発明が解決しようとする課題】
【０００８】
しかしながら、特許文献１の技術では、複数の照明器具の各機能に応じたグループ分けによってユーザインタフェースが向上されるものの、複数の照明器具が設置された現場に照明の専門家がいることが必要とされる。つまり、特許文献１の技術であっても、複数の照明器具が設置された現場において、器具マッピング、照明器具のグループ分け、シーン及びスケジュール等の複雑な設定をしなければならならず、照明の専門家が必要とされる。そのために、複数の照明器具が設置された現場に照明の専門家がいない場合には、現場で照明器具を設置する照明設定者が照明システムの設定をしなければならず、照明システムの設定に要する時間は依然として削減されないという問題がある。
【０００９】
そこで、本発明は、このような状況に鑑みてなされたものであり、現場に照明の専門家がいなくても、簡単に、かつ、短時間で、照明システムの設定を行うことができる照明システム、端末装置及び照明システムの設定方法を提供することを目的とする。
【課題を解決するための手段】
【００１０】
上記目的を達成するために、本発明の一形態に係る照明システムは、複数の照明器具と前記複数の照明器具を制御する端末装置とを備える照明システムであって、前記端末装置は、画面と、操作者からの指示を受け付ける入力部と、前記複数の照明器具に対して照明制御をさせるための制御命令を送信する通信部と、前記複数の照明器具のそれぞれの設置場所に関する少なくとも一つの属性を示す属性情報を含む設定情報を前記端末装置の外部から取得し、前記画面及び前記入力部を用いた前記操作者との対話に従って、前記複数の照明器具のそれぞれに、取得した前記設定情報に含まれる前記属性情報が示す少なくとも一つの属性のいずれかを対応づけることで、前記複数の照明器具をグループ分けし、得られたグループの単位で前記通信部を介して前記制御命令を送信することで前記複数の照明器具を前記グループの単位で制御する制御部とを備え、前記設定情報は、前記複数の照明器具がそれぞれの設置場所に設置される設置工事が行われる前に、複数の設置工事のそれぞれごとに作成されてサーバ装置にアップロードされる複数の設定情報を含み、前記制御部は、前記複数の照明器具がそれぞれの設置場所に設置される設置工事が行われた後に、前記入力部が受け付けた指示に基づいて、完了した設置工事に対応する設定情報を、前記サーバ装置に保持された前記複数の設定情報の中から選択してダウンロードする。
【００１１】
また、上記目的を達成するために、本発明の一形態に係る端末装置は、複数の照明器具を制御する端末装置であって、前記端末装置は、画面と、操作者からの指示を受け付ける入力部と、前記複数の照明器具に対して照明制御をさせるための制御命令を送信する通信部と、前記複数の照明器具のそれぞれの設置場所に関する少なくとも一つの属性を示す属性情報を含む設定情報を前記端末装置の外部から取得し、前記画面及び前記入力部を用いた前記操作者との対話に従って、前記複数の照明器具のそれぞれに、取得した前記設定情報に含まれる前記属性情報が示す少なくとも一つの属性のいずれかを対応づけることで、前記複数の照明器具をグループ分けし、得られたグループの単位で前記通信部を介して前記制御命令を送信することで前記複数の照明器具を前記グループの単位で制御する制御部とを備え、前記設定情報は、前記複数の照明器具がそれぞれの設置場所に設置される設置工事が行われる前に、複数の設置工事のそれぞれごとに作成されてサーバ装置にアップロードされる複数の設定情報を含み、前記制御部は、前記複数の照明器具がそれぞれの設置場所に設置される設置工事が行われた後に、前記入力部が受け付けた指示に基づいて、完了した設置工事に対応する設定情報を、前記サーバ装置に保持された前記複数の設定情報の中から選択してダウンロードする。
【００１２】
また、上記目的を達成するために、本発明の一形態に係る照明システムの設定方法は、複数の照明器具を備える照明システムの設定方法であって、前記複数の照明器具がそれぞれの設置場所に設置される設置工事が行われる前に、前記照明システムを設計する照明設計者が、前記複数の照明器具のそれぞれの設置場所に関する少なくとも一つの属性を示す属性情報を含む設定情報を作成し、作成した前記設定情報をサーバ装置にアップロードするステップと、前記複数の照明器具がそれぞれの設置場所に設置される設置工事が行われた後に、前記照明システムを設置する照明設定者が、前記サーバ装置にアップロードされた前記設定情報を端末装置にダウンロードして取得し、前記端末装置が備える画面及び入力部を用いた前記照明設定者との対話に従って、前記複数の照明器具のそれぞれに、取得した前記設定情報に含まれる前記属性情報が示す少なくとも一つの属性のいずれかを対応づけることで、前記複数の照明器具をグループ分けするステップとを含み、前記アップロードするステップでは、複数の設置工事のそれぞれごとに前記設定情報を作成して前記サーバ装置にアップロードし、前記グループ分けするステップでは、前記設置工事が行われた後に、前記入力部が受け付けた指示に基づいて、完了した設置工事に対応する設定情報を、前記サーバ装置に保持された複数の前記設定情報の中から選択してダウンロードする。
【発明の効果】
【００１３】
本発明により、現場に照明の専門家がいなくても、簡単に、かつ、短時間で、照明システムの設定を行うことができる照明システム、端末装置及び照明システムの設定方法が提供される。
【図面の簡単な説明】
【００１４】
【図１】実施の形態における照明システムの概略構成図
【図２】図１に示された照明システムを構成する照明器具、照明指令装置及び端末装置の構成を示すブロック図
【図３Ａ】図２に示されるサーバ装置に置かれる設定情報の一例を示すデータ構造図
【図３Ｂ】図２に示されるサーバ装置に置かれる設定情報の別の一例を示すデータ構造図
【図４】実施の形態における照明システムの設定方法を示すシーケンス図
【図５】図４における照明設計者による照明プランの選択及び照明器具の属性の設定のための端末装置におけるＧＵＩの一例を示す図
【図６】図４における照明設定者による設定情報の選択及び照明器具の属性の設定のための端末装置におけるＧＵＩの一例を示す図
【図７】図４における照明設定者による照明器具の属性の設定及び設定内容の確認でのグループ分け変更時のＧＵＩの一例を示す図
【図８】図４における照明設定者による設定情報の選択及び照明器具の属性の設定における照明プランの選択に関するＧＵＩの一例を示す図
【図９】図２に示されるサーバ装置に置かれる設定情報の別の一例を示すデータ構造図
【図１０】実施の形態の変形例に係る、照明設定者による設定情報の選択及び照明器具の属性の設定のための端末装置におけるＧＵＩの一例を示す図
【図１１】実施の形態の変形例に係る、一つのグループに属する照明器具を一括して他のグループに変更するための端末装置におけるＧＵＩの一例を示す図
【発明を実施するための形態】
【００１５】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。
【００１６】
図１は、実施の形態における照明システム５の主要な構成（つまり、現場における構成）を示す概略構成図である。照明システム５は、現場に照明の専門家である照明設計者がいない場合であっても、簡単に、かつ、短時間で、照明システム５の設定を行うことができるシステムである。照明システム５は、主要な構成要素として、複数の照明器具１０ａ〜１０ｃと、照明指令装置２０と、端末装置３０とを備える。
【００１７】
照明器具１０ａ〜１０ｃは、照明光を発する器具であり、例えば、一つの部屋に分散して設置されたシーリングライトである。
【００１８】
端末装置３０は、照明指令装置２０を介して照明器具１０ａ〜１０ｃに照明制御のための制御命令を送信することで照明器具１０ａ〜１０ｃを制御する端末であり、例えば、タブレット端末、スマートフォン等の携帯情報端末である。
【００１９】
照明指令装置２０は、端末装置３０からの制御命令を中継して照明器具１０ａ〜１０ｃに転送するコントローラであり、例えば、天井に設置されたり、あるいは、照明器具１０ａ〜１０ｃのいずれかに内蔵されたりする。
【００２０】
図２は、図１に示された照明システム５を構成する照明器具１０ａ〜１０ｃ、照明指令装置２０及び端末装置３０の構成を示すブロック図である。なお、複数の照明器具１０ａ〜１０ｃは、いずれも同じ構成を備えるので、本図では、一つの照明器具の構成だけが図示されている。また、本図には、照明システム５を構成する付帯的な構成要素である無線ルータ６、インターネット７及びサーバ装置８も併せて図示されている。
【００２１】
照明器具１０ａ〜１０ｃのそれぞれは、器具Ｉ／Ｆ（インタフェース）１１、無線受信部１２、光源１３及び器具制御部１４を備える。
【００２２】
器具Ｉ／Ｆ１１は、照明指令装置２０と有線又は無線（本実施の形態では、有線）で通信するインタフェースであり、例えば、シリアル通信インタフェース、無線ＬＡＮ用通信インタフェース等である。
【００２３】
無線受信部１２は、端末装置３０の無線送出部３３から送出されてくる無線信号（本実施の形態では、赤外線信号）を受信する受信部であり、例えば、赤外線受光部である。
【００２４】
光源１３は、照明光を発する光源であり、例えば、ＬＥＤ（Ｌｉｇｈｔ  Ｅｍｉｔｔｉｎｇ  Ｄｉｏｄｅ）等である。
【００２５】
器具制御部１４は、器具Ｉ／Ｆ１１、無線受信部１２及び光源１３とやりとりして制御する制御部である。器具制御部１４は、例えば、制御プログラムを格納するＲＯＭ、制御プログラムを実行するプロセッサ、ＲＡＭ及び各種入出力ポート等を有するマイコン（マイクロコントローラ又はマイクロコンピュータ）等である。
【００２６】
より詳しくは、器具制御部１４は、器具マッピングにおいて、端末装置３０から論理アドレスを含む赤外線信号が無線受信部１２で受信された場合には、光源１３を一定時間、点滅させる。そして、器具制御部１４は、受信した論理アドレスと自器具の通信アドレスとを照明指令装置２０に送信する。
【００２７】
また、器具制御部１４は、器具マッピング後の照明制御として、照明指令装置２０から器具Ｉ／Ｆ１１を介して、自器具の通信アドレスを指定した制御命令を受信した場合には、その制御命令に従って光源１３を制御することで、点灯、消灯、調光又は調色を行う。
【００２８】
照明指令装置２０は、指令Ｉ／Ｆ２１、指令通信部２２及び指令制御部２３を備える。
【００２９】
指令Ｉ／Ｆ２１は、照明器具１０ａ〜１０ｃと有線又は無線（本実施の形態では、有線）で通信するインタフェースであり、例えば、シリアル通信インタフェース、無線ＬＡＮ用通信インタフェース等である。
【００３０】
指令通信部２２は、端末装置３０と無線で通信（本実施の形態では、無線ルータ６を介して通信）するインタフェースであり、例えば、無線ＬＡＮ用インタフェースである。
【００３１】
指令制御部２３は、指令Ｉ／Ｆ２１及び指令通信部２２とやりとりして制御する制御部である。指令制御部２３は、例えば、制御プログラムを格納するＲＯＭ、制御プログラムを実行するプロセッサ、ＲＡＭ及び各種入出力ポート等を有するマイコン（マイクロコントローラ又はマイクロコンピュータ）等である。
【００３２】
より詳しくは、指令制御部２３は、照明器具１０ａ〜１０ｃから送信されてきた論理アドレス及び通信アドレスを、指令Ｉ／Ｆ２１を介して受信すると、受信した論理アドレス及び通信アドレスを対応づけて記憶することにより、器具マッピングを行う。照明制御においては、指令制御部２３は、端末装置３０から送信されてきた論理アドレス及び制御命令を、無線ルータ６及び指令通信部２２を介して受信すると、器具マッピングの結果を参照することで、受信した論理アドレスに対応する通信アドレスを特定する。そして、指令制御部２３は、特定した通信アドレスの照明器具に、指令Ｉ／Ｆ２１を介して制御命令を送信することにより照明器具１０ａ〜１０ｃを制御する。
【００３３】
無線ルータ６は、照明指令装置２０と端末装置３０との間の無線通信を中継する機能と、端末装置３０とインターネット７上の通信装置（ここでは、サーバ装置８）とを接続するゲートウェイとしての機能を有する装置である。
【００３４】
サーバ装置８は、インターネット７上の通信装置であり、本実施の形態では、端末装置３０に照明器具１０ａ〜１０ｃの設定情報を提供する装置である。ここで、設定情報とは、照明器具１０ａ〜１０ｃのそれぞれの設置場所（部屋における取り付け位置）に関する少なくとも一つの属性を示す属性情報を含む情報である。
【００３５】
端末装置３０は、入力部３１、端末通信部３２、無線送出部３３、画面３４及び端末制御部３５を備える。
【００３６】
入力部３１は、操作者からの指示を受け付けるデバイスであり、例えば、タッチパネル、ボタン等である。
【００３７】
無線送出部３３は、指向性を有する無線信号を送出する通信インタフェースであり、例えば、無線信号として可視光又は赤外線を送出するデバイス（本実施の形態では、着脱可能な態様で端末装置３０に取り付けられた、赤外線を送出するデバイス）である。無線送出部３３は、器具マッピングの対象となる１台の照明器具だけに無線信号を照射できるように、指向性をもつ（ビーム状の）無線信号を送出する。
【００３８】
端末通信部３２は、照明器具１０ａ〜１０ｃの少なくとも一つ（あるいは、照明器具のグループ）に対して論理アドレスを指定して無線で制御命令を送る通信インタフェースであり、例えば、無線ＬＡＮ用通信インタフェースである。
【００３９】
画面３４は、操作者と対話するための各種情報を表示する表示部であり、例えば、ＬＣＤ（ｌｉｑｕｉｄ  ｃｒｙｓｔａｌ  ｄｉｓｐｌａｙ）パネルである。
【００４０】
端末制御部３５は、入力部３１、端末通信部３２、無線送出部３３及び画面３４とやりとりして制御する制御部である。端末制御部３５は、例えば、制御プログラムを格納するＲＯＭ、制御プログラムを実行するプロセッサ、ＲＡＭ及び各種入出力ポート等を有するマイコン（マイクロコントローラ又はマイクロコンピュータ）等である。なお、制御プログラムは、端末装置３０の外部からダウンロードされるアプリ（アプリケーションプログラム）であってもよい。
【００４１】
より詳しくは、端末制御部３５は、照明器具１０ａ〜１０ｃが設置された現場に対応する設定情報を端末装置３０の外部から取得する。そして、端末制御部３５は、画面３４及び入力部３１を用いた操作者との対話に従って、照明器具１０ａ〜１０ｃのそれぞれに、取得した設定情報に含まれる属性情報が示す少なくとも一つの属性のいずれかを対応づける。これにより、照明器具１０ａ〜１０ｃのグループ分けが行われる。設定情報には、さらに、属性情報が示す少なくとも一つの属性のそれぞれについて、当該属性をもつ照明器具１０ａ〜１０ｃの台数を示す台数情報が含まれる場合がある。このときには、端末制御部３５は、設定情報に含まれる台数情報を参照することで、照明器具１０ａ〜１０ｃのグループ分けを行う。
【００４２】
なお、端末制御部３５は、画面３４及び入力部３１を用いた操作者との対話に従って照明器具１０ａ〜１０ｃのグループ分けを変更することもできる。具体的には、端末制御部３５は、画面３４に、照明器具１０ａ〜１０ｃに対応する複数のアイコンをグループに分けて表示する。そのときに、一のグループに属するアイコンを他の一のグループに移動させる指示が入力部３１によって受け付けられた場合には、端末制御部３５は、当該指示に従って、照明器具１０ａ〜１０ｃのグループ分けを変更する。
【００４３】
また、グループ分けの際に行われる器具マッピングにおいては、端末制御部３５は、画面３４に、照明器具１０ａ〜１０ｃが割り振られたグループのそれぞれに対応する複数のアイコン（グループアイコン）を表示する。そして、端末制御部３５は、画面３４に表示した複数のグループアイコンのいずれかを選択する指示が入力部３１で受け付けられた場合には、選択されたグループアイコンに対応する論理アドレスを示す赤外線信号を無線送出部３３に送出させる。
【００４４】
グループ分けが完了した後は、端末制御部３５は、照明器具の単位だけでなく、グループの単位で端末通信部３２を介して制御命令を送信することで照明器具１０ａ〜１０ｃをグループの単位で制御する。ここで、設定情報には、属性情報が示す少なくとも一つの属性のそれぞれについて、照明器具１０ａ〜１０ｃによる調光及び調色の少なくとも一つの制御を対応づけた挙動情報が含まれる場合がある。「挙動情報」とは、調光及び調色の少なくとも一つについての制御を示す情報である。この場合には、端末制御部３５は、挙動情報を参照することで、グループに属する照明器具１０ａ〜１０ｃの属性に対応づけられた調光及び調色の少なくとも一つの制御を特定し、特定した制御を行う。
【００４５】
さらに、挙動情報には、属性情報が示す少なくとも一つの属性のそれぞれについて、照明器具１０ａ〜１０ｃによる調光及び調色の少なくとも一つについて、一日の時間に依存した動的制御を対応づけた動的挙動情報が含まれる場合がある。「動的挙動情報」とは、調光及び調色の少なくとも一つについて、一日の時間に依存した情報（スケジュール）を示す情報である。また、「動的制御」とは、時間に依存した照明制御である。設定情報に動的挙動情報が含まれる場合には、端末制御部３５は、動的挙動情報を参照することで、グループに属する照明器具１０ａ〜１０ｃの属性に対応づけられた調光及び調色の少なくとも一つの動的制御を特定し、特定した動的制御を行う。
【００４６】
照明器具１０ａ〜１０ｃの制御においては、端末制御部３５は、制御対象の照明器具（本実施の形態では、照明器具のグループ）に対応する論理アドレスと制御命令とを照明指令装置２０に送信する。照明指令装置２０は、受信した論理アドレスを通信アドレスに変換し、変換後の通信アドレスをもつ照明器具に向けて制御命令を送信することで、受信した論理アドレスに対応する照明器具を制御する。
【００４７】
図３Ａは、図２に示されるサーバ装置８に置かれる設定情報８ａの一例を示すデータ構造図である。設定情報８ａは、典型例には、現場に設置される照明システムごとに照明設計者によって作成される情報であり、この例では、ある現場に設置される照明器具１０ａ〜１０ｃの「属性」と「台数」とが対応づけて登録されている。「属性」は、照明器具の現場における設置場所に関する情報であり、ここでは、「窓際」、「座席」、「通路」の例が示されている。また、「台数」は、対応する「属性」を有する照明器具の設置台数であり、ここでは、「窓際」付近に設置される照明器具が４台であり、「座席」付近に設置される照明器具が１２台であり、「通路」に設置される照明器具が３台であることが示されている。
【００４８】
図３Ｂは、図２に示されるサーバ装置８に置かれる設定情報８ｂの別の一例を示すデータ構造図である。本図に示される設定情報８ｂには、一つの照明プラン（ここでは、「省エネ（白色のみ／調光）」）が含まれている。照明プランとは、属性情報が示す少なくとも一つの属性のそれぞれと挙動情報とを対応づけた情報である。ここでは、調色として、白色のみに限定し、調光として、属性ごとに一日の時間に応じたスケジュールが設定されている。
【００４９】
具体的には、「窓際」付近に設置される照明器具については、色温度を５５００Ｋに固定し、調光率を、８：００〜１６：００では７０％にし、１６：００〜２０：００では７０％にし、２０：００〜８：００では６０％にする動的挙動情報が示されている。「座席」付近に設置される照明器具については、色温度を５５００Ｋに固定し、調光率を、８：００〜１６：００では８０％にし、１６：００〜２０：００では７０％にし、２０：００〜８：００では６０％にする動的挙動情報が示されている。「通路」に設置される照明器具については、色温度を５５００Ｋに固定し、調光率を、８：００〜１６：００では７０％にし、１６：００〜２０：００では６０％にし、２０：００〜８：００では６０％にする動的挙動情報が示されている。
【００５０】
次に、以上のように構成された本実施の形態における照明システム５の設定方法について説明する。
【００５１】
図４は、本実施の形態における照明システム５の設定方法を示すシーケンス図である。ここでは、ある現場に設置される照明システム（図１に示された照明システム５）について、照明設計者による設計段階から、電気工事士等の照明設定者による現場での設定作業に至るまでの作業の流れが示されている。
【００５２】
まず、照明設計者は、照明システム５が設置される前の段階で、現場とは異なる設計事務所等において、コンピュータ装置等を用いて、設定情報を事前に作成する。具体的には、照明設計者は、照明プラン（ここでは、照明プランの種類）を選択する（Ｓ１０）。例えば、照明設計者は、対象の照明システム５についての要求仕様等を参照することで、照明プランの種類として、「省エネ」を選択する。なお、この照明プランの種類の選択は、必ずしも必須の手順ではない。
【００５３】
続いて、照明設計者は、現場のレイアウト図及び照明器具１０ａ〜１０ｃの配線図等を参照することで、照明システム５を構成する各照明器具の属性を設定する（Ｓ１１）。例えば、照明設計者は、属性として、「窓際」、「座席」及び「通路」と決定する。このとき、属性ごとの照明器具の台数も併せて決定されてもよい。
【００５４】
このようにして、図３Ａに示される設定情報８ａ又は図３Ｂに示される設定情報８ｂが作成されると、照明設計者は、作成した設定情報を、コンピュータ装置からインターネット等を介してサーバ装置８にアップロードする。
【００５５】
これにより、照明システム５を設計する照明設計者が、照明器具１０ａ〜１０ｃのそれぞれの設置場所に関する少なくとも一つの属性を示す属性情報を含む設定情報を作成し、作成した設定情報をサーバ装置８にアップロードする事前準備ステップが完了する。その結果、サーバ装置８には、照明システムの設置工事ごとに、照明の専門家（ここでは、照明設計者）によって作成された設定情報が保存される（Ｓ１２）。
【００５６】
照明システム５が設置される現場では、照明システム５の取り付け工事が完了すると、照明設定者は、まず、端末装置３０を用いてサーバ装置８にアクセスし、現場に対応する設定情報を選択する（Ｓ１３）。これにより、サーバ装置８から、現場の照明システム５に対応して予め作成された設定情報が端末装置３０にダウンロードされる。
【００５７】
次に、照明設定者は、端末装置３０との対話（ＧＵＩ；グラフィカル・ユーザインタフェース）によって、ダウンロードした設定情報を参照しながら、照明システム５を構成する照明器具１０ａ〜１０ｃのそれぞれに属性を設定する（Ｓ１４）。つまり、照明設定者は、画面３４及び入力部３１を用いて端末装置３０と対話することで、照明器具１０ａ〜１０ｃのそれぞれに、ダウンロードした設定情報に含まれる属性情報が示す少なくとも一つの属性のいずれかを対応づける。これにより、同一の属性をもつ照明器具が、同じ照明制御を行う照明器具の集まりとして同じグループに設定され、グループ分けが完了する。
【００５８】
なお、本実施の形態では、このグループ分けにおいて、器具マッピングも行われる。つまり、端末装置３０が認識する照明器具１０ａ〜１０ｃのグループを識別する論理アドレスと現実に設置された照明器具１０ａ〜１０ｃの通信アドレスとの対応づけも行われる。
【００５９】
このような属性の設定（つまり、照明器具のグループ分け）が完了すると、照明設定者は、設定内容を確認し、必要に応じて、微調整を行う（Ｓ１５）。例えば、照明設定者は、端末装置３０の画面３４には、照明器具１０ａ〜１０ｃに対応する複数のアイコンがグループに分けて表示されるので、一のグループに属するアイコンを他の一のグループに移動させる。これにより、照明器具１０ａ〜１０ｃのグループ分けが変更される。
【００６０】
最後に、照明設定者は、端末装置３０による照明システム５のシミュレーション機能（テストとして照明器具を制御する機能）を用いて、設定内容を再生（つまり、テスト実行）することで、設定内容を確認する（Ｓ１６）。例えば、動的挙動情報が含まれた設定情報を参照して、端末装置３０は、一日分のスケジュールを一分で高速再生することで、一日分の照明器具１０ａ〜１０ｃに対する調光及び調色の制御（スケジュール）を短時間で目視で確認できる。
【００６１】
以下、図４に示されたシーケンスにおける主要なステップの詳細について、画面表示例を用いて説明する。
【００６２】
図５は、図４における照明設計者による照明プランの選択（Ｓ１０）及び照明器具の属性の設定（Ｓ１１）のための端末装置３０におけるＧＵＩの一例を示す図である。つまり、本図には、照明設計者による設定情報の作成において照明設計者が使用するコンピュータ装置によって提供されるＧＵＩが示されている。
【００６３】
図５の（ａ）の画面表示例に示されるように、画面の照明プラン表示領域４０に、照明設計者が選択した照明プランとして「プラン１」が表示されている。つまり、現在、照明設計者によって、設定情報における「プラン１」の詳細を設定する作業が行われている。画面の右上には、「属性台数表６０」が表示されている。「グループ属性名」として、照明設計者によって、３つの属性（「窓際」、「座席」、「通路」）が入力されている。画面の器具アイコン表示領域５０には、現場のレイアウト図等から取り込まれた１９個の器具アイコンが表示されている。
【００６４】
図５の（ａ）では、「属性台数表６０」において「窓際」にカーソルが置かれた状態で、器具アイコン表示領域５０に表示された１９個の器具アイコンのうち、最上段の３個の器具アイコンが選択された状態が図示されている。このような選択により、「属性台数表６０」のグループ属性「窓際」に対応する照明器具の「台数」として、自動的に「３」とカウントされる。
【００６５】
続いて、図５の（ｂ）の画面表示例に示されるように、照明設計者は、グループ属性「窓際」に対応する器具アイコンとして最終的に合計４個の器具アイコンを選択した後、グループ属性「座席」に対応する照明器具として４個の器具アイコンを選択している。その結果、「属性台数表６０」のグループ属性「座席」に対応する照明器具の「台数」として、自動的に「４」とカウントされる。
【００６６】
以上のような操作によって、図５の（ｃ）の画面表示例に示されるように、照明設計者は、全ての器具アイコンについて属性を設定し終えたら、「終了」ボタン６２を押す。これによって、この画面で設定した内容が、図３Ａに示されるような設定情報として生成され、印刷出力したり、サーバ装置８にアップロードしたりすることが可能になる。
【００６７】
図６は、図４における照明設定者による設定情報の選択（Ｓ１３）及び照明器具の属性の設定（Ｓ１４）のための端末装置３０におけるＧＵＩの一例を示す図である。つまり、本図には、照明設定者による現場での照明器具１０ａ〜１０ｃのグループ分けにおいて、端末装置３０（より厳密には、端末制御部３５）によって提供されるＧＵＩが示されている。
【００６８】
照明システム５の取り付け工事が完了すると、照明設定者は、図６の（ａ）の画面表示例に示されるように、端末装置３０の画面３４に作業メニュー４２を表示させ、設定情報をダウンロードするためのボタン「プラン導入」をタッチする。これにより、サーバ装置８からインターネット７及び無線ルータ６を介して端末装置３０に設定情報がダウンロードされる。なお、図６の（ａ）に示された作業メニュー４２において、「結線確認」は、照明器具が有線で通信する場合における作業の一例であり、照明器具が無線で通信する場合であれば、例えば「ペアリング」という作業に変わる。また、「ペアリング」、「アドレス設定」の作業の順序は適宜、変更可能である。
【００６９】
設定情報のダウンロードが完了すると、画面３４は、図６の（ｂ）の画面表示例に示される状態になる。ここでは、画面３４のグループ表示領域７０には、ダウンロードされた設定情報に含まれる属性（ここでは、「窓際」、「座席」、「通路」）を用いたグループ属性名をもつグループアイコンが表示される。なお、グループ表示領域７０に、各グループアイコンに、グループ名として、「Ａ窓際」、「Ｂ座席１」、「Ｃ座席２」、「Ｄ座席３」、「Ｅ座席４」、「Ｆ通路」が表示されている。これらのグループ名は、設定情報に含まれていたものが参照されて自動的に付与されてもよいし、照明設定者によって入力されてもよい。また、画面３４の右に表示された属性・台数表示領域７５には、ダウンロードされた設定情報に含まれた属性情報に基づいて、いまから設定すべき属性（ここでは、「窓際」）とその台数とが表示される。
【００７０】
図６の（ｂ）の画面表示例では、画面３４のグループ表示領域７０の左上に位置する一つのグループアイコン（属性が「窓際」であるグループのアイコン）が選択されている。この状態で、照明設定者は、「窓際」のグループの対象にしたい照明器具１０ａ〜１０ｃに対して、順に、端末装置３０の無線送出部３３を照明器具に向けて、画面３４に表示された「送信」ボタン７６を押す。すると、端末装置３０の無線送出部３３から、選択されたグループを識別する論理アドレスを含む赤外線信号が出力されるので、その赤外線信号を受信した照明器具は、一定時間、点滅を行う。これにより、照明設定者は、意図した照明器具を指定できたことを目視で確認できる。また、画面３４の属性・台数表示領域７５には、その時点で「窓際」として属性が設定された照明器具の台数（ここでは、「１台目／全４台」）が表示される。なお、この「送信」ボタン７６による操作によって、赤外線信号を受信した照明器具は、赤外線信号に含まれる論理アドレスと自器具の通信アドレスとを照明指令装置２０に送信する。照明指令装置２０は、照明器具から送信されてきた論理アドレス及び通信アドレスを対応づけて記憶することにより、器具マッピングを行う。
【００７１】
このような操作を全てのグループについて繰り返すことでグループ分けを終えると、図６の（ｃ）の画面表示例に示されるように、画面３４に「設定完了」メッセージ７７が表示される。これにより、現場での器具マッピングを含む照明器具１０ａ〜１０ｃのグループ分けが完了して端末装置３０に設定内容が保存され、端末装置３０による照明器具１０ａ〜１０ｃの照明制御が可能な状態となる。
【００７２】
なお、照明設定者は、画面３４に表示された「点灯確認」ボタン７８を押すことで、いま完了したグループ分けの確認をすることができる。「点灯確認」ボタン７８を押されると、端末装置３０は、一定の時間間隔で、全てのグループについて、グループごとに、順に、点滅させるための制御命令を照明器具１０ａ〜１０ｃに送信する。このようなテスト実行により、照明設定者は、グループ分けが正しく完了したか否かを目視で確認できる。
【００７３】
図７は、図４における照明設定者による照明器具の属性の設定（Ｓ１４）及び設定内容の確認（Ｓ１５）でのグループ分け変更時のＧＵＩの一例を示す図である。つまり、本図には、照明設定者による現場での照明器具１０ａ〜１０ｃのグループ分けの変更時において端末装置３０（より厳密には、端末制御部３５）によって提供されるＧＵＩが示されている。
【００７４】
図７の（ａ）の画面表示例に示されるように、画面３４のグループ表示領域７０において、変更したいグループに対応するグループアイコンを選択すると、画面３４に、「器具のグループを変更しますか？」とのメッセージ８０がポップアップ表示される。これに対して、「はい」の表示領域をタッチすると、図７の（ｂ）の画面表示例に示されるように、選択したグループアイコンの枠が点滅し、その枠に含まれる照明器具に対するグループを変更できる状態となる。
【００７５】
図７の（ｂ）の画面表示例では、選択したグループアイコンに含まれる照明器具に対応する４個の器具アイコン７１ａ〜７１ｄが表示されている。４個の器具アイコン７１ａ〜７１ｄは、対応する照明器具を確認するためのアイコンであり、タッチされると、タッチされた器具アイコンに対応する照明器具に対して点滅させる制御命令が送信される。よって、照明設定者は、画面３４に表示されたメッセージ８１に従って、４個の器具アイコン７１ａ〜７１ｄを順にタッチすることで、照明器具の点滅状態を確認しながら、変更したい照明器具の器具アイコンを選択することができる。
【００７６】
そして、図７の（ｃ）の画面表示例に示されるように、照明設定者は、画面３４に表示されたメッセージ８２に従って、グループ変更したい器具アイコン７１ｃをドラッグして変更先のグループアイコンまで移動させる。これにより、変更したい照明器具のグループ（対応づけられたグループの論理アドレス）が変更され、併せて、変更先のグループの台数表示、及び、変更元のグループの台数表示も変更される。
【００７７】
このように、端末装置３０では、端末制御部３５は、画面３４に、照明器具１０ａ〜１０ｃに対応する複数のアイコンをグループに分けて表示する。そして、一のグループに属するアイコンを他の一のグループに移動させる指示が入力部３１によって受け付けられた場合に、端末制御部３５は、当該指示に従って、照明器具１０ａ〜１０ｃのグループ分けを変更する。
【００７８】
図８は、図４における照明設定者による設定情報の選択（Ｓ１３）及び照明器具の属性の設定（Ｓ１４）における照明プランの選択に関するＧＵＩの一例を示す図である。つまり、本図には、照明設定者による現場での照明器具１０ａ〜１０ｃに対する照明プランの選択において端末装置３０（より厳密には、端末制御部３５）によって提供されるＧＵＩが示されている。
【００７９】
図８の（ａ）の画面表示例に示されるように、この例では、まず、照明設定者により、サーバ装置８に保存された照明計画図面がダウンロードされる。「照明計画図面」とは、現場における照明器具１０ａ〜１０ｃのレイアウト（つまり、配置位置と台数）を示す図面であり、照明設計者によって予め作製され、サーバ装置８にアップロードされている。この照明計画図面のダウンロードにより、端末装置３０の画面３４の器具アイコン表示領域９０には、図８の（ａ）に示されるように、現場のレイアウトに重畳して、照明器具１０ａ〜１０ｃに対応する１９個の器具アイコンが表示される。
【００８０】
照明計画図面のダウンロードが完了すると、続いて、その照明計画図面に対応づけられた設定情報がサーバ装置８からダウンロードが開始され、図８の（ｂ）の画面表示例に示されるように、ダウンロード中であることを示すメッセージが表示される。図９は、ダウンロードされる設定情報８ｃの一例を示すデータ構造図である。この設定情報８ｃも、図３Ａ及び図３Ｂに示された設定情報と同様に、予め照明設計者によって作成され、サーバ装置８にアップロードされていたデータである。この設定情報８ｃには、３つの照明プラン（「省エネ（白色のみ／調光）」、「省エネ（白色・温白色／調光）」、「健康（サーカディアン調整調光調色）」）が含まれている。
【００８１】
図９に示されるような３つの照明プランが含まれた設定情報８ｃが端末装置３０にダウンロードされると、画面３４には、図８の（ｃ）の画面表示例に示される表示状態となる。つまり、画面３４の右領域には、設定情報８ｃに含まれていた３つの照明プランを選択するための照明プラン選択メニュー９６が表示される。なお、照明プラン選択メニュー９６に表示された「プラン１」、「プラン２」、「プラン３」は、それぞれ、設定情報８ｃにおける３つの照明プラン「省エネ（白色のみ／調光）」、「省エネ（白色・温白色／調光）」、「健康（サーカディアン調整調光調色）」に対応する。よって、照明設定者は、これらの３つの照明プランから一つを選択することで、照明器具のグループと挙動情報との対応づけを完了することができる。
【００８２】
なお、図８の（ｃ）の画面表示例では、器具アイコン表示領域９０には、６個のグループが表示されているが、これらのグループ分け、グループごとの属性及び器具マッピングについては、図６に示されたＧＵＩによって設定される。
【００８３】
このように、図８に示される画面表示例では、設定情報には、少なくとも一つの属性のそれぞれと挙動情報とを対応づけた照明プランが複数含まれる。よって、端末装置３０の端末制御部３５は、複数の照明プランのうち、画面３４及び入力部３１を用いた操作者との対話によって選択された照明プランに従って、照明器具１０ａ〜１０ｃをグループの単位で制御することができる。
【００８４】
以上のように、本実施の形態における照明システム５は、複数の照明器具１０ａ〜１０ｃと照明器具１０ａ〜１０ｃを制御する端末装置３０とを備えるシステムである。端末装置３０は、画面３４と、操作者からの指示を受け付ける入力部３１と、照明器具１０ａ〜１０ｃに対して照明制御をさせるための制御命令を送信する端末通信部３２と、端末制御部３５とを備える。端末制御部３５は、照明器具１０ａ〜１０ｃのそれぞれの設置場所に関する少なくとも一つの属性を示す属性情報を含む設定情報を端末装置３０の外部から取得する。そして、画面３４及び入力部３１を用いた操作者との対話に従って、照明器具１０ａ〜１０ｃのそれぞれに、取得した設定情報に含まれる属性情報が示す少なくとも一つの属性のいずれかを対応づけることで、照明器具１０ａ〜１０ｃをグループ分けする。さらに、端末制御部３５は、得られたグループの単位で端末通信部３２を介して制御命令を送信することで照明器具１０ａ〜１０ｃをグループの単位で制御する。
【００８５】
これにより、端末装置３０は、照明システム５の設定に必要な設定情報を端末装置３０の外部から取得し、取得した設定情報を参照することで、照明器具１０ａ〜１０ｃのグループ分けを行う。設定情報は、照明器具１０ａ〜１０ｃのそれぞれの設置場所に関する少なくとも一つの属性を示す属性情報を含み、照明の専門家である照明設計者によって予め作成され得る。よって、照明器具１０ａ〜１０ｃが設置された現場に照明の専門家がいる必要がなくなり、しかも、現場において、設定情報を参照しながら入力部３１と画面３４とを用いたユーザインタフェースによって簡単に照明器具１０ａ〜１０ｃをグループ分けできる。つまり、現場に照明の専門家がいなくても、簡単に、かつ、短時間で、照明システム５の設定を行うことができる照明システム５が実現される。
【００８６】
また、設定情報には、さらに、少なくとも一つの属性のそれぞれについて、当該属性をもつ照明器具１０ａ〜１０ｃの台数を示す台数情報が含まれる。そして、端末制御部３５は、設定情報に含まれる台数情報を参照することで、照明器具１０ａ〜１０ｃのグループ分けを行う。
【００８７】
これにより、設定情報には、照明設計者等によって決定された、照明器具１０ａ〜１０ｃの属性のそれぞれについての照明器具１０ａ〜１０ｃの台数も含まれる。よって、現場では、端末装置３０において、属性ごとの照明器具１０ａ〜１０ｃの台数を参照することで、照明器具１０ａ〜１０ｃのグループ分けが容易に、かつ、適切に行われる。
【００８８】
また、設定情報には、さらに、属性情報が示す少なくとも一つの属性のそれぞれについて、照明器具１０ａ〜１０ｃによる調光及び調色の少なくとも一つの制御を対応づけた挙動情報が含まれ得る。そして、端末制御部３５は、挙動情報を参照することで、グループに属する照明器具１０ａ〜１０ｃの属性に対応づけられた調光及び調色の少なくとも一つの制御を特定し、特定した制御を行う。
【００８９】
これにより、設定情報には、照明設計者等によって決定された、照明器具１０ａ〜１０ｃの属性のそれぞれについての挙動情報も含まれる。よって、現場では、端末装置３０において、挙動情報を参照することで、属性を割り当てた照明器具１０ａ〜１０ｃのグループについて、シーンの設定が容易に、かつ、適切に行われる。
【００９０】
また、挙動情報には、属性情報が示す少なくとも一つの属性のそれぞれについて、照明器具１０ａ〜１０ｃによる調光及び調色の少なくとも一つについて、一日の時間に依存した動的制御を対応づけた動的挙動情報が含まれ得る。そして、端末制御部３５は、動的挙動情報を参照することで、グループに属する照明器具１０ａ〜１０ｃの属性に対応づけられた調光及び調色の少なくとも一つの動的制御を特定し、特定した動的制御を行う。
【００９１】
これにより、設定情報には、照明設計者等によって決定された、照明器具１０ａ〜１０ｃの属性のそれぞれについての動的挙動情報も含まれる。よって、現場では、端末装置３０において、動的挙動情報を参照することで、属性を割り当てた照明器具１０ａ〜１０ｃのグループについて、スケジュールの設定が容易に、かつ、適切に行われる。
【００９２】
また、設定情報には、少なくとも一つの属性のそれぞれと挙動情報とを対応づけた照明プランが複数含まれる。そして、端末制御部３５は、複数の照明プランのうち、画面３４及び入力部３１を用いた操作者との対話によって選択された照明プランに従って、照明器具１０ａ〜１０ｃをグループの単位で制御する。
【００９３】
これにより、設定情報には、照明設計者等によって決定された、照明器具１０ａ〜１０ｃの属性のそれぞれと挙動情報とを対応づけた照明プランも含まれ得る。よって、現場では、端末装置３０において、照明プランを選択することで、属性を割り当てた照明器具１０ａ〜１０ｃのグループについてシーンが自動的に決定され、グループごとのシーンの設定が容易に、かつ、適切に行われる。
【００９４】
また、端末制御部３５は、さらに、画面３４に、照明器具１０ａ〜１０ｃに対応する複数のアイコンをグループに分けて表示する。そして、一のグループに属するアイコンを他の一のグループに移動させる指示が入力部３１によって受け付けられた場合に、当該指示に従って、照明器具１０ａ〜１０ｃのグループ分けを変更する。
【００９５】
これにより、ＧＵＩを利用して照明器具１０ａ〜１０ｃのグループ分けを変更できるので、現場での事情に合せて、簡単に、照明器具１０ａ〜１０ｃのグループ分けを修正できる。
【００９６】
また、本実施の形態における照明システム５の設定方法は、複数の照明器具１０ａ〜１０ｃを備える照明システム５の設定方法であり、以下のステップを含む。一つは、照明システム５を設計する照明設計者が、照明器具１０ａ〜１０ｃのそれぞれの設置場所に関する少なくとも一つの属性を示す属性情報を含む設定情報を作成し、作成した設定情報をサーバ装置８にアップロードするステップである。もう一つは、照明システム５を設置する照明設定者が、サーバ装置８にアップロードされた設定情報を端末装置３０にダウンロードして取得する。そして、端末装置３０が備える画面３４及び入力部３１を用いた操作者との対話に従って、照明器具１０ａ〜１０ｃのそれぞれに、取得した設定情報に含まれる属性情報が示す少なくとも一つの属性のいずれかを対応づける。これにより、照明器具１０ａ〜１０ｃをグループ分けするステップである。
【００９７】
これにより、端末装置３０は、照明システム５の設定に必要な設定情報を端末装置３０の外部から取得し、取得した設定情報を参照することで、照明器具１０ａ〜１０ｃのグループ分けを行う。設定情報は、照明器具１０ａ〜１０ｃのそれぞれの設置場所に関する少なくとも一つの属性を示す属性情報を含み、照明の専門家である照明設計者によって予め作成され得る。よって、照明器具１０ａ〜１０ｃが設置された現場に照明の専門家がいる必要がなくなり、しかも、現場において、設定情報を参照しながら入力部３１と画面３４とを用いたユーザインタフェースによって簡単に照明器具１０ａ〜１０ｃをグループ分けできる。つまり、現場に照明の専門家がいなくても、簡単に、かつ、短時間で、照明システム５の設定を行うことができる照明システム５が実現される。
【００９８】
以上、本発明の照明システム、端末装置及び照明システムの設定方法について、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【００９９】
例えば、上記実施の形態では、照明器具の属性の設定（Ｓ１４）のためのＧＵＩでは、端末装置３０の画面３４において、グループ表示領域７０における一つのグループを選択した後に、そのグループに対応づける具体的な照明器具を赤外線信号で選択した。しかしながら、照明器具の属性の設定は、この手順に限られず、まず、具体的な照明器具を赤外線信号で選択し、その後に、その照明器具が属するグループを指定してもよい。
【０１００】
図１０は、本実施の形態の変形例に係る、照明設定者による設定情報の選択（Ｓ１３）及び照明器具の属性の設定（Ｓ１４）のための端末装置３０におけるＧＵＩの一例を示す図であり、図６に示されたＧＵＩの変形例に対応する。ここでは、照明器具の属性の設定（Ｓ１４）として、まず、具体的な照明器具を赤外線信号で選択し、その後に、その照明器具が属するグループを指定する手順が示されている。
【０１０１】
図１０の（ａ）の画面表示例に示されるように、端末装置３０の画面３４に表示された作業メニュー４２を用いて設定情報をダウンロードする。すると、図１０の（ｂ）の画面表示例（ただし、図１０の（ｂ）において器具アイコン７３が表示されていない状態での画面表示）に示されるように、グループ表示領域７０の下方に、器具アイコン表示領域７２が表示される。
【０１０２】
この状態で、照明設定者は、属性を設定する対象となる照明器具に対して、端末装置３０の無線送出部３３を照明器具に向けて、画面３４に表示された「送信」ボタン７６を押す。すると、端末装置３０の無線送出部３３から、赤外線信号が出力されるので、その赤外線信号を受信した照明器具は、一定時間、点滅を行うとともに、自器具の通信アドレスを、照明指令装置２０を介して端末装置３０に送信する。通信アドレスを受信した端末装置３０は、器具アイコン表示領域７２に、受信した通信アドレスに対応する器具アイコン７３を表示する（図１０の（ｂ））。照明設定者は、器具アイコン表示領域７２に表示された器具アイコン７３を、設定したい属性をもつグループアイコンまでドラッグする（図１０の（ｂ））。
【０１０３】
このような操作を全てのグループについて繰り返すことでグループ分けを終えると、図６の（ｃ）の画面表示例に示されるように、画面３４に「設定完了」メッセージ７７が表示される。そして、照明設定者は、画面３４に表示された「点灯確認」ボタン７８を押すことで、いま完了したグループ分けの確認をすることができる。
【０１０４】
また、上記実施の形態では、照明器具のグループ分けの変更は、器具アイコンをドラッグすることで行われたが、このような方法に限られず、変更元のグループと変更先のグループを選択することで、一括して照明器具のグループ分けを変更してもよい。
【０１０５】
図１１は、本実施の形態の変形例に係る、一つのグループに属する照明器具を一括して他のグループに変更するための端末装置３０におけるＧＵＩの一例を示す図であり、図７に示されたＧＵＩの変形例に対応する。
【０１０６】
図１１の（ａ）は、図７の（ａ）と同じである。つまり、図１０の（ａ）の画面表示例に示されるように、画面３４のグループ表示領域７０において、変更元のグループアイコンを選択すると、画面３４に、「器具のグループを変更しますか？」とのメッセージ８０がポップアップ表示される。これに対して、「はい」の表示領域をタッチすると、本変形例では、図１１の（ｂ）の画面表示例に示されるように、画面３４に、「変更先のグループを選んでください」とのメッセージ８３がポップアップ表示され、変更先のグループの選択が可能になる。
【０１０７】
照明設定者は、画面３４に表示されたメッセージ８３に従って、変更先のグループアイコンを選択する。すると、図１１の（ｃ）の画面表示例に示されるように、画面３４に、「送信ボタンを押して下さい」とのメッセージ８４及び「送信」ボタン８５がポップアップ表示されるので、照明設定者は、「送信」ボタン８５を押す。これにより、変更元のグループアイコンに属していた照明器具は、変更先のグループアイコンに対応するグループ及び属性に変更され、併せて、変更元及び変更先のグループの台数表示も変更される。
【０１０８】
このように、端末装置３０では、端末制御部３５は、画面３４に、照明器具１０ａ〜１０ｃに対応する複数のアイコンをグループに分けて表示する。そして、一のグループに属する照明器具を一括して他の一のグループに移動させる指示が入力部３１によって受け付けられた場合に、端末制御部３５は、当該指示に従って、照明器具１０ａ〜１０ｃのグループ分けを一括して変更する。
【０１０９】
また、上記実施の形態及び変形例では、設定情報８ａ、８ｂ及び８ｃには、属性情報だけでなく、台数情報、挙動情報又は動的挙動情報が含まれていたが、これらの台数情報、挙動情報又は動的挙動情報は必ずしも必要ではない。設定情報には、少なくとも属性情報が含まれていれば、照明器具１０ａ〜１０ｃのそれぞれの設置場所に関する情報が得られ、同じ照明制御を行う対象となる照明器具の集まり（グループ）が定まるからである。
【０１１０】
上記実施の形態及び変形例における照明システム５には、照明指令装置２０が含まれたが、照明指令装置２０は、必ずしも必要ではない。端末装置３０が無線通信等によって照明器具１０ａ〜１０ｃのそれぞれと直接通信又は無線ルータ６を介して通信することで、端末装置３０が器具マッピングの情報を保持し、その情報を参照して照明器具１０ａ〜１０ｃを直接制御してもよい。
【０１１１】
また、上記実施の形態及び変形例における端末装置３０が備える端末制御部３５が有する機能は、プロセッサによって実行されるアプリ等のプログラムによって実現されてもよい。そのプログラムは、コンピュータ読み取り可能なＣＤ−ＲＯＭ等の記録媒体に格納したり、インターネット等の通信ネットワークを介して配信したりすることで、流通させてもよい。
【符号の説明】
【０１１２】
５  照明システム
８ａ、８ｂ、８ｃ  設定情報
１０ａ、１０ｂ、１０ｃ  照明器具
３０  端末装置
３１  入力部
３２  端末通信部（通信部）
３４  画面
３５  端末制御部（制御部）
【図１】
0006745473.tif 000002
【図２】
0006745473.tif 000003
【図３Ａ】
0006745473.tif 000004
【図３Ｂ】
0006745473.tif 000005
【図４】
0006745473.tif 000006
【図５】
0006745473.tif 000007
【図６】
0006745473.tif 000008
【図７】
0006745473.tif 000009
【図８】
0006745473.tif 000010
【図９】
0006745473.tif 000011
【図１０】
0006745473.tif 000012
【図１１】
0006745473.tif 000013